(57)【要約】      （修正有）【課題】構造が簡単で、製造しやすく、施術やねじの弛み止めの調整も容易な歯科用インプラントを提供する。【解決手段】アバットメント３にアバットメントスクリュー５を挿入してフィクスチャー２に螺着し、アバットメント３にアバットメントスクリュー５の弛み止めをするためのロックスクリュー７をアバットメントスクリュー５とは反対方向のねじとして螺入し、ロックスクリュー７でアバットメントスクリュー５の頭部を押え付けて螺着する。アバットメント３のロックスクリュー７のねじのピッチを、フィクスチャー２に螺着するアバットメントスクリュー５のねじのピッチと相違したピッチとする。【選択図】図１
2015019893.tif 000002
【特許請求の範囲】
【請求項１】
フィクスチャー、アバットメントを介して人工歯冠を装着する歯科用インプラントであって、
アバットメントにアバットメントスクリューを挿入してフィクスチャーに螺着し、上記アバットメントにアバットメントスクリューの弛み止めをするためのロックスクリューをアバットメントスクリューとは反対方向のねじとして螺入し、上記ロックスクリューでアバットメントスクリューの頭部を押え付けて螺着するようにしたことを特徴とする歯科用インプラント。
【請求項２】
アバットメントのロックスクリューのねじのピッチをフィクスチャーに螺着するアバットメントスクリューのねじのピッチと相違したピッチとした請求項１に記載の歯科用インプラント。
【請求項３】
ロックスクリューのねじの下部に突起体をロックスクリューの中心より偏心させて下方へ突き出し、アバットメントスクリューの頭部の凹み穴に挿入して凹み穴の内面に当接して固定するようにした請求項１または２に記載の歯科用インプラント。
。
【請求項４】
ロックスクリューのねじの下部に突起体をロックスクリューの中心より偏心させて下方側へ漸次細くして突き出し、アバットメントスクリューの頭部の六角穴に挿入して六角穴の内面に当接して固定するようにした請求項１ないし３のいずれかに記載の歯科用インプラント。
【発明の詳細な説明】
【技術分野】
【０００１】
本発明は、歯科分野における歯科用インプラントに関するものである。
【背景技術】
【０００２】
近年、欠損歯の代わりに人口歯根であるインプラントの治療が行われている。
【０００３】
歯科用インプラントは、顎の歯槽骨に人口歯根のフィクスチャーを埋設し、このフィクスチャーに支台部であるアバットメントをねじ止めし、アバットメントに歯冠を装着するものである。
【０００４】
しかし、アバットメントをフィクスチャーにねじ止めするので、不測のねじの弛みが生じてトラブルが生起するものであった。
【０００５】
そのため、特開２００３−３２５５５２号公報のようにアバットメントにロック溝を設けるとともに、ロックスクリューにロック溝を設け、ロックスリーブをこれらのロック溝とロック溝に挿入してねじの弛みを防止することが提案されている。
【０００６】
また、特開２０１１−１０４２２２号公報には、歯科インプラントにおいて、フィクスチャーの先端の内部空洞のねじとフィクスチャーの外面のねじの方向を反対として外力によって弛みを防止することが提案されている。
【先行技術文献】
【特許文献】
【０００７】
【特許文献１】特開２００３−３２５５５２号公報
【特許文献２】特開２０１１−１０４２２２号公報
【発明の開示】
【発明が解決しようとする課題】
【０００８】
しかし、前記公報にあっては、構造が複雑で、特にインプラント用としては２ｍｍ径以下のものなので、製造が難しく、施術も簡単でない。
また、後記公報にあっては、１つのフィクスチャーの先端に空洞、内部に固定空洞、さらに外周部に多様なねじを螺刻しなければならなく、製造が極めて難しく、かつ施術も簡単でなくて、ねじの弛み止めの調整が容易でない。
【０００９】
そのため、構造が簡単で、製造しやすく、施術やねじの弛み止めの調整も容易なインプラントにすることが課題であった。
【課題を解決するための手段】
【００１０】
本発明は、上記のような点に鑑みたもので、上記の課題を解決するために、フィクスチャー、アバットメントを介して人工歯冠を装着する歯科用インプラントであって、アバットメントにアバットメントスクリューを挿入してフィクスチャーに螺着し、上記アバットメントにアバットメントスクリューの弛み止めをするためのロックスクリューをアバットメントスクリューとは反対方向のねじとして螺入し、上記ロックスクリューでアバットメントスクリューの頭部を押え付けて螺着するようにしたことを特徴とする歯科用インプラントを提供するにある。
【００１１】
また、アバットメントのロックスクリューのねじのピッチをフィクスチャーに螺着するアバットメントスクリューのねじのピッチと相違したピッチとしたことを特徴とする歯科用インプラントを提供するにある。
【００１２】
さらに、ロックスクリューのねじの下部に突起体をロックスクリューの中心より偏心させて下方へ突き出し、アバットメントスクリューの頭部の凹み穴に挿入して凹み穴の内面に当接して固定するようにしたことを特徴とする歯科用インプラントを提供するにある。
【００１３】
さらにまた、ロックスクリューのねじの下部に突起体をロックスクリューの中心より偏心させて下方側へ漸次細くして突き出し、アバットメントスクリューの頭部の六角穴に挿入して六角穴の内面に当接して固定するようにしたことを特徴とする歯科用インプラントを提供するにある。
【発明の効果】
【００１４】
本発明にあっては、特許請求の範囲の請求項１のように、フィクスチャー、アバットメントを介して人工歯冠を装着する歯科用インプラントであって、アバットメントにアバットメントスクリューを挿入してフィクスチャーに螺着し、上記アバットメントにアバットメントスクリューの弛み止めをするためのロックスクリューをアバットメントスクリューとは反対方向のねじとして螺入し、上記ロックスクリューでアバットメントスクリューの頭部を押え付けて螺着するようにしたことによって、これらのねじが逆ねじ状態でアバットメントスクリューが弛むのを有効に防止することができる。
【００１５】
また、請求項２のように、アバットメントのロックスクリューのねじのピッチをフィクスチャーに螺着するアバットメントスクリューのねじのピッチと相違したピッチとしたことによって、アバットメントのロックスクリューのアバットメントスクリューのねじと相違したピッチで、アバットメントスクリューが弛むのを有効に防止することができる。
【００１６】
さらに、請求項３のように、ロックスクリューのねじの下部に突起体をロックスクリューの中心より偏心させて下方へ突き出し、アバットメントスクリューの頭部の凹み穴に挿入して凹み穴の内面に当接して固定するようにしたことによって、ロックスクリューをあバットメントに挿入して締め込んでいくと、その下部の突起体がアバットメントスクリューの頭部の凹み穴に挿入してその偏心部が凹み穴の内周面に当接してクサビ効果によってロックでき、アバットメントスクリューの弛みを一層防止できる。
【００１７】
さらにまた、請求項４のように、ロックスクリューのねじの下部に突起体をロックスクリューの中心より偏心させて下方側へ漸次細くして突き出し、アバットメントスクリューの頭部の六角穴に挿入して六角穴の内面に当接して固定するようにしたことによって、上記した突起体の漸次細くなった先部が六角穴に入っていって所要の個所で六角穴の内周面部に当接してクサビ効果によってロックでき、アバットメントスクリューの弛みを一層防止できる。
【図面の簡単な説明】
【００１８】
【図１】本発明の一実施例のインプラントの側断面図、
【図２】同上のアバットメントスクリューの側面図（ａ）と平面図（ｂ）、
【図３】同上のロックスクリューの側面図（ａ）と底面図（ｂ）、
【図４】同上のアバットメントスクリュー頭部のロックスクリュー突起体の係合状態説明図（ａ）とロック状態説明図（ｂ）、
【図５】同上のそれぞれ他の実施例の底面図（ａ）、（ｂ）。
【発明を実施するための形態】
【００１９】
本発明の歯科用インプラントは、フィクスチャー、アバットメントを介して人工歯冠を装着する歯科用インプラントであって、アバットメントにアバットメントスクリューを挿入してフィクスチャーに螺着し、上記アバットメントにアバットメントスクリューの弛み止めをするためのロックスクリューをアバットメントスクリューとは反対方向のねじとして螺入し、上記ロックスクリューでアバットメントスクリューの頭部を押え付けて螺着するようにしたことを特徴としている。
【００２０】
インプラント１は、セラミックスやチタン等で形成され、図１のように顎の歯槽骨に形成した植立孔に挿入するフィクスチャー２に人口歯冠を装着するアバットメント３を固着するねじ孔４を設け、アバットメント３にアバットメントスクリュー５を挿入する挿入孔６を開孔し、その下部にロックスクリュー７を螺着するロックねじ孔８を設けて、フィクスチャー２にアバットメント３を固着するようにしている。９はその段落部、１０は嵌合部、１１はアバットメントスクリューの頭部の六角穴等の凹み穴である。
【００２１】
上記フィクスチャー２のねじ孔４は、たとえば右ねじ孔として、図１、図２（ａ）のようにアバットメントスクリュー５も右ねじとして螺着するようにし、その上部のアバットメント３のロックスクリュー７を螺着するねじ孔８は上記ねじ方向とは反対方向の左ねじ孔として、図１、図３（ａ）のようにロックスクリュー７も左ねじとして螺着するようにし、アバットメントスクリュー５が弛まないようにしている。なお、これらのねじ孔およびねじは互いに反対方向にでき、これらは互いに反対方向のものであればよい。
【００２２】
そして、図１、図２（ａ）、図３（ａ）のようにロックスクリュー７、そのねじ孔８のピッチを、アバットメントスクリュー５、そのねじ孔４のピッチの２分の１等の細かいピッチとして相違したものとし、ねじのピッチの相違と、上記した反対方向のねじとによって、アバットメントスクリュー５をより弛まないようにできる。
【００２３】
さらに、図１、図３（ａ）、（ｂ）のようにロックスクリュー７のねじ部の下方に、ロックスクリュー７の中心より所定量偏心させてアバットメントスクリュー５の頭部の六角穴１１等の凹み穴の内面に当接可能に切頭円錐柱状の突起体１２を突設し、アバットメント３にロックスクリュー７を螺入して、アバットメントスクリュー５の頭部の六角穴１１等の凹み穴に挿入したときに、図４（ａ）、（ｂ）のように突起体１２がねじ間の許容量だけ偏心して六角穴１１等の凹み穴の内面に押圧状態に当接するようにし、その内面にクサビ効果を生じてロック状態となってアバットメントスクリュー５が一層弛まないようにしている。
【００２４】
上記ロックスクリュー７には、図３（ａ）、（ｂ）のように突起体１２を下方へいくにしたがって漸次細くし、漸次細くした突起体１２が六角穴１１等の凹み穴に円滑に挿入して、上記したようにねじ間の許容量だけ偏心して突起体１２の上部が六角穴１１等の凹み穴の内面に押圧状態に当接するようにし、その内面にクサビ効果を生じてロック状態となってアバットメントスクリュー５が一層弛まないようにできる。
【００２５】
上記ロックスクリュー７のねじとそのねじ孔８の係合の許容量は、たとえばねじ径が２ｍｍ位なら０．０２〜０．０５ｍｍ位あり、ロックスクリュー７の突起体１２はアバットメント３の六角穴１１等の凹み穴に０．０２〜０．０５ｍｍ位の所定量の偏心によって六角穴１１等の凹み穴の内面に押圧状態に当接してクサビ効果を生じるようにできる。
【００２６】
上記では、ロックスクリュー７の突起体１２を切頭円錐柱状としたが、図５（ａ）、（ｂ）のように六角錐柱状や楕円錐柱状等の適宜量偏心させてクサビ効果を生じる形態とすることができ、またアバットメントスクリュー５の頭部の凹み穴は三角穴や四角穴等のものも適用でき、上記した本発明の趣旨にもとづいて適宜な変形態様を実施することができる。
【実施例】
【００２７】
図１以下は、本発明の実施例を示すものである。インプラント１は、図１のように顎の歯槽骨に形成した植立孔に挿入するフィクスチャー２に人口歯冠を装着するアバットメント３を固着するねじ孔４を設け、アバットメント３にアバットメントスクリュー５を挿入する挿入孔６を開孔し、その下部にロックスクリュー７を螺着するロックねじ孔８を設けて、六角レンチ等でアバットメントスクリュー５を螺入してフィクスチャー２にアバットメント３を固着するようにしている。
【００２８】
上記フィクスチャー２のねじ孔４は右ねじ孔として、図１、図２（ａ）のようにアバットメントスクリュー５も右ねじとして螺着するようにし、その下部のアバットメント３のロックスクリュー７を螺着するねじ孔８は図１、図３（ａ）のように上記ねじ方向とは反対方向の左ねじ孔としてロックスクリュー７も左ねじとして螺着するようにし、アバットメントスクリュー５が弛まないようにしている。
【００２９】
そして、上記ロックスクリュー７でアバットメントスクリュー５の頭部を押え付けて螺着し、これらのねじが逆ねじ状態でアバットメントスクリュー５が弛むのを有効に防止することができる。
【００３０】
また、図１、図３（ａ）のようにロックスクリュー７、そのねじ孔８のピッチを、アバットメントスクリュー５、そのねじ孔４のピッチの２分の１の細かいピッチとして相違したものとしている。ロックスクリュー７のねじのピッチを細いピッチのものとすることによって、アバットメントスクリュー５が弛むのを有効に防止することができる。また、これらのねじのピッチの相違と、上記したように反対方向のねじとすることによって、アバットメントスクリュー５をより弛まないようにできる。
【００３１】
さらに、図１、図３（ａ）、（ｂ）のようにロックスクリュー７のねじ部の下方にロックスクリュー７の中心より所定量偏心させた切頭円錐柱状の突起体１２を突設している。そのため、アバットメント３にロックスクリュー７を螺入して、アバットメントスクリュー５の頭部の六角穴１１の凹み穴に挿入したときに、図１、図４（ａ）、（ｂ）のように所定量偏心した突起体１２が六角穴１１の内面に押圧して当接し、クサビ効果によってロック状態となってアバットメントスクリュー５が一層弛まないようにできる。上記突起体１２は、六角穴１１の深さより短くすることが好ましい。
【００３２】
上記ロックスクリュー７は、図３（ａ）、（ｂ）のように突起体１２を下方へいくにしたがって漸次細くすることが好ましい。このようにすると、偏心した突起体１２が六角穴１１に容易に挿入できて、その上部の所要部で六角穴１１の内面に押圧して当接して上記したクサビ効果によってロック状態となってアバットメントスクリュー５が一層弛まないようにできる。
【００３３】
上記では、本発明の本質的な実施例について説明したが、たとえばロックスクリュー７の突起体１２を図５（ａ）、（ｂ）のように六角錐柱状や楕円錐柱状等の適宜な形態とするなど、上記した本発明の趣旨にもとづいて適宜な変形態様を実施することができる。
【産業上の利用可能性】
【００３４】
本発明は、歯科分野における顎の歯槽骨に形成した植立孔に挿入するフィクスチャーに人口歯冠を装着するアバットメントを固着する歯科用インプラントに利用することかできる。
【符号の説明】
【００３５】
１…インプラント        ２…フィクスチャー        ３…アバットメント
５…アバットメントスクリュー    ６…ロックスクリュー    １１…六角穴（凹み穴）１２…突起体    
【図１】
2015019893.tif 000003
【図２】
2015019893.tif 000004
【図３】
2015019893.tif 000005
【図４】
2015019893.tif 000006
【図５】
2015019893.tif 000007